【事件の表示】
　特許第５９５８８４６号発明「充電デバイスを含むポータブル電子システムおよび二次電池を充電する方法」の特許異議申立事件について、次のとおり決定する。
【結　論】
　特許第５９５８８４６号の特許請求の範囲を訂正請求書に添付された訂正特許請求の範囲のとおり、訂正後の請求項〔１−５〕、〔６−１３〕について、訂正することを認める。
　特許第５９５８８４６号の請求項１ないし１０に係る特許を維持する。
　特許第５９５８８４６号の請求項１１ないし１３に係る特許についての特許異議の申立てを却下する。
【理　由】
第１　手続の経緯
　本件特許第５９５８８４６号の請求項１ないし１３に係る特許についての出願は、平成２８年７月１日付けでその特許権の設定登録がされ、その後、特許異議申立人　山本　美映子　より請求項１ないし１３に係る発明の特許に対し特許異議の申立てがされ、平成２９年３月２９日付けで取消理由が通知され、その指定期間内に特許権者より平成２９年６月２９日付けで意見書の提出及び訂正の請求がされ、特許異議申立人より平成２９年８月１日付けで意見書が提出されたものである。
第２　訂正の適否
１　平成２９年６月２９日付け訂正請求の訂正の内容
　平成２９年６月２９日付け訂正請求による訂正（以下「本件訂正」という。）の内容は以下のとおりである。
（１）　訂正事項１
　特許請求の範囲の請求項１に「所定の電圧レベル」とあるのを、「所定の
最大許容充電
Ｖ
ｃｈ
（２）　訂正事項２
　特許請求の範囲の請求項１に「最大充電電圧」とあるのを、「
補償済
Ｖ
ｃｏｍｐ
（３）　訂正事項３
　特許請求の範囲の請求項２に「最大充電電圧」（５箇所）とあるのを、いずれも「
補償済
Ｖ
ｃｏｍｐ
前記補償済
Ｖ
ｃｏｍｐ
前記補償済
Ｖ
ｃｏｍｐ
（４）　訂正事項４
　特許請求の範囲の請求項２に「前記充電電圧」とある（２箇所）のを、いずれも「前記
第１の
（５）　訂正事項５
　特許請求の範囲の請求項６に「所定の電圧レベル」とあるのを、「所定の
最大許容充電
Ｖ
ｃｈ
の
（６）　訂正事項６
　特許請求の範囲の請求項６に「最大充電電圧」とある（４箇所）のを、いずれも「
補償済
Ｖ
ｃｏｍｐ
補償済
Ｖ
ｃｏｍｐ
の
（７）　訂正事項７
　特許請求の範囲の請求項８に「最大充電電圧」とある（２箇所）のを、いずれも「
補償済
Ｖ
ｃｏｍｐ
（８）　訂正事項８
　特許請求の範囲の請求項９に「最大充電電圧」とある（３箇所）のを、いずれも「
補償済
Ｖ
ｃｏｍｐ
（９）　訂正事項９
　特許請求の範囲の請求項１１を削除する。
（１０）　訂正事項１０
　特許請求の範囲の請求項１２を削除する。
（１１）　訂正事項１１
　特許請求の範囲の請求項１３を削除する。
（１２）　したがって、特許権者は、訂正前の特許請求の範囲を、以下のとおり、訂正後の特許請求の範囲のとおり訂正することを請求する（下線は訂正箇所を示す。）。
「【請求項１】
　再充電可能な一次デバイスおよび二次デバイスを含むポータブル電子喫煙システムであって、前記二次デバイスは、従来のたばこと同様のサイズの電気加熱タバコデバイスであり、前記二次デバイスは、エアロゾル形成基体を加熱するように構成されたヒータを含み、前記一次デバイスは、従来のたばこパックと同様の形状およびサイズを有するハウジングを含み、前記二次デバイスは、再充電サイクルの間、前記一次デバイスの前記ハウジング内に収容されるように構成され、前記一次デバイスは、酸化リチウムコバルト電池である第１の電池を有し、前記二次デバイスは、リン酸鉄リチウム電池またはチタン酸リチウム電池である第２の電池を有し、前記第１の電池の容量は、前記第２の電池の容量の５倍から４０倍の間であり、前記一次デバイスおよび前記二次デバイスは、２Ｃから１６Ｃの間のレートで前記第１の電池から前記第２の電池を再充電するように構成され、前記一次デバイスは、
　前記第２の電池に接続するための出力端子の対と、
　ＤＣ電源と、
　充電電圧を制御するために前記ＤＣ電源と前記出力端子との間に接続された電圧調整器と、
　前記電圧調整器および前記出力端子に結合されたマイクロプロセッサとを含み、前記一次デバイスおよび第２の電池は、互いに結合され、充電回路を形成するように構成され、前記マイクロプロセッサは、
　第１の充電電圧を供給するために前記電圧調整器を制御し、
　前記第１の充電電圧が所定の
最大許容充電
Ｖ
ｃｈ
　前記第１の充電電圧と、前記第１の充電電圧よりも低い第２の充電電圧とにおける前記充電回路中の電流を測定することによって前記充電回路の内部抵抗を特定し、
　前記特定された内部抵抗および前記第２の電池の特性に基づいて、前記電圧調整器によって供給される前記第１の充電電圧を
補償済
Ｖ
ｃｏｍｐ
ように構成される、ポータブル電子喫煙システム。
【請求項２】
　前記マイクロプロセッサは、
　前記特定された内部抵抗および前記第２の電池の特性に基づいて
補償済
Ｖ
ｃｏｍｐ
　前記第１の充電電圧が前記
補償済
Ｖ
ｃｏｍｐ
補償済
Ｖ
ｃｏｍｐ
補償済
Ｖ
ｃｏｍｐ
補償済
Ｖ
ｃｏｍｐ
第１の
第１の
ように構成される、請求項１に記載のポータブル電子喫煙システム。
【請求項３】
　前記マイクロプロセッサは、前記第１の充電電圧から電圧を所定の電圧差だけ低減させることによって前記第２の充電電圧を特定するように構成される、請求項１または２に記載のポータブル電子喫煙システム。
【請求項４】
　前記マイクロプロセッサは、前記内部抵抗を定期的に再計算するように構成される、請求項１から３までのいずれか１項に記載のポータブル電子喫煙システム。
【請求項５】
　前記第２の電池は、１０ｍｍの直径および３７ｍｍの長さを有する、請求項１から４までのいずれか１項に記載の電子喫煙システム。
【請求項６】
　従来のたばこパックと同様の形状およびサイズを有するハウジングを含み、エアロゾル形成基体を加熱するように構成されたヒータを含む、一次デバイス中の第１の電池から従来のたばこと同様のサイズの二次電気加熱タバコデバイス中の第２の電池を充電する方法であって、前記一次デバイスおよび前記二次デバイスは、ポータブル電子喫煙システムを形成し、前記一次デバイスは、酸化リチウムコバルト電池である第１の電池を有し、前記二次デバイスは、リン酸鉄リチウム電池またはチタン酸リチウム電池である第２の電池を有し、前記第１の電池の容量は、前記第２の電池の容量の５倍から４０倍の間であり、前記一次デバイスおよび前記二次デバイスは、２Ｃから１６Ｃの間のレートで前記第１の電池から前記第２の電池を再充電するように構成され、前記方法は、
　充電回路を形成するために調整可能な電圧源を有する前記一次デバイスに前記第２の電池を接続するステップと、
　前記第２の電池に所定の充電電流を提供するために前記電圧源によって供給される第１の充電電圧を制御するステップと、
　前記第１の充電電圧と、前記第１の充電電圧よりも低い第２の充電電圧とにおける前記充電回路中の電流を測定することによって、前記充電回路の内部抵抗を特定するステップと、
　前記特定された内部抵抗および前記第２の電池の特性に基づいて
補償済
Ｖ
ｃｏｍｐ
　前記第１の充電電圧が前記
補償済
Ｖ
ｃｏｍｐ
の
補償済
Ｖ
ｃｏｍｐ
を含み、
　前記内部抵抗を特定する前記ステップ、および前記
補償済
Ｖ
ｃｏｍｐ
最大許容充電
Ｖ
ｃｈ
【請求項７】
　前記第２の充電電圧は、前記第１の充電電圧から所定の電圧差を有する、請求項６に記載の方法。
【請求項８】
　前記
補償済
Ｖ
ｃｏｍｐ
補償済
Ｖ
ｃｏｍｐ
【請求項９】
　前記
補償済
Ｖ
ｃｏｍｐ
補償済
Ｖ
ｃｏｍｐ
補償済
Ｖ
ｃｏｍｐ
【請求項１０】
　前記内部抵抗を特定する前記ステップは、定期的に実行される、請求項６から９までのいずれか１項に記載の方法。
【請求項１１】
（削除）
【請求項１２】
（削除）
【請求項１３】
（削除）
２　訂正の目的、新規事項の有無及び特許請求の範囲の拡張・変更の存否並びに一群の請求項
（１）　訂正事項１は、請求項１の「第１の充電電圧」について、訂正前の「所定の電圧レベル」を「電池の寿命を保存するレベルに設定される」（本件特許明細書【００３３】）「電池製造者によって指定された」（同【００４０】）特定の値である「
最大許容充電
Ｖ
ｃｈ
（２）　訂正事項２は、請求項１の「第１の充電電圧」について、訂正前の「最大充電電圧」を「寄生抵抗ｒｐ−、ｒｐ＋、ｒｓ−、ｒｓ＋、ｒｃ−（ｔ）、ｒｃ＋（ｔ）が結合されて単一の抵抗Ｒ（ｔ）になる場合、第２の電池の両端間の電圧は、Ｖｄｒｏｐ＝Ｉ＊Ｒ（ｔ）だけ電圧源からの充電電圧よりも小さい」（本件特許明細書【００３６】）場合の「Ｖｃｏｍｐ＝Ｖｃｈ＋Ｉ＊Ｒ（ｔ）」（同【００３７】）と定義される「
補償済
Ｖ
ｃｏｍｐ
　なお、上記のとおり、「補償済最大充電電圧Ｖｃｏｍｐ」は「Ｖｃｏｍｐ＝Ｖｃｈ＋Ｉ＊Ｒ（ｔ）」であり、第２の電池の特性である「最大許容充電電圧Ｖｃｈ」と寄生抵抗の合成抵抗による電圧降下との和と定義されているから、明確であるというほかなく、また、「内部抵抗Ｒｉは、寄生抵抗Ｒ（ｔ）と電池の内部抵抗ｒｉ（ｔ）の両方を含む」こと、及び、「寄生抵抗Ｒ（ｔ）」は「内部抵抗Ｒｉ」（及び「電池の内部抵抗ｒｉ（ｔ）」）に基づいて導ける旨本件特許明細書に記載されており（【００３９】）、これを参酌すると、訂正後の請求項１の「前記特定された（充電回路の）内部抵抗および前記第２の電池の特性に基づいて、前記電圧調整器によって供給される前記第１の充電電圧を
補償済
Ｖ
ｃｏｍｐ
（３）　訂正事項３は、訂正事項２において請求項１の訂正前の「最大充電電圧」を「
補償済
Ｖ
ｃｏｍｐ
補償済
Ｖ
ｃｏｍｐ
　なお、「最大充電電圧」を「
前記補償済
Ｖ
ｃｏｍｐ
（４）　訂正事項４は、請求項２の「調整する」「前記充電電圧」が、引用する請求項１に記載されたものも含めた「充電電圧」のいずれであるかが明瞭でなかったため、それを請求項２にも前記された「調整する」「充電電圧」である「
第１の
（５）　訂正事項５は、請求項６の「第１の充電電圧」について、訂正前の「所定の電圧レベル」を「電池の寿命を保存するレベルに設定される」（本件特許明細書【００３３】）「電池製造者によって指定された」（同【００４０】）特定の値である「
最大許容充電
Ｖ
ｃｈ
（６）　訂正事項６は、請求項６の「第１の充電電圧」について、訂正前の「最大充電電圧」を「寄生抵抗ｒｐ−、ｒｐ＋、ｒｓ−、ｒｓ＋、ｒｃ−（ｔ）、ｒｃ＋（ｔ）が結合されて単一の抵抗Ｒ（ｔ）になる場合、第２の電池の両端間の電圧は、Ｖｄｒｏｐ＝Ｉ＊Ｒ（ｔ）だけ電圧源からの充電電圧よりも小さい」（本件特許明細書【００３６】）場合の「Ｖｃｏｍｐ＝Ｖｃｈ＋Ｉ＊Ｒ（ｔ）」（同【００３７】）と定義される「
補償済
Ｖ
ｃｏｍｐ
　なお、「最大充電電圧レベル」を「
補償済
Ｖ
ｃｏｍｐ
の
補償済
Ｖ
ｃｏｍｐ
（７）　訂正事項７及び８は、訂正事項６において請求項６の訂正前の「最大充電電圧」を「
補償済
Ｖ
ｃｏｍｐ
補償済
Ｖ
ｃｏｍｐ
（８）　訂正事項９は、請求項１１を削除するものであるから、特許法第１２０条の５第２項ただし書第１号に掲げる特許請求の範囲の減縮を目的とし、実質上特許請求の範囲を拡張し、又は変更するものではなく、特許法第１２０条の５第９項で準用する同法第１２６条第６項に適合するものであり、また、願書に添付した明細書、特許請求の範囲又は図面に記載した事項の範囲内の訂正であるから、特許法第１２０条の５第９項で準用する同法第１２６条第５項に適合するものである。
（９）　訂正事項１０は、請求項１２を削除するものであるから、特許法第１２０条の５第２項ただし書第１号に掲げる特許請求の範囲の減縮を目的とし、実質上特許請求の範囲を拡張し、又は変更するものではなく、特許法第１２０条の５第９項で準用する同法第１２６条第６項に適合するものであり、また、願書に添付した明細書、特許請求の範囲又は図面に記載した事項の範囲内の訂正であるから、特許法第１２０条の５第９項で準用する同法第１２６条第５項に適合するものである。
（１０）　訂正事項１１は、請求項１３を削除するものであるから、特許法第１２０条の５第２項ただし書第１号に掲げる特許請求の範囲の減縮を目的とし、実質上特許請求の範囲を拡張し、又は変更するものではなく、特許法第１２０条の５第９項で準用する同法第１２６条第６項に適合するものであり、また、願書に添付した明細書、特許請求の範囲又は図面に記載した事項の範囲内の訂正であるから、特許法第１２０条の５第９項で準用する同法第１２６条第５項に適合するものである。
（１１）　訂正事項１ないし４に係る訂正前の請求項１ないし５について、請求項２ないし５はそれぞれ請求項１を直接または間接に引用しているものであって、訂正事項１ないし２によって訂正される請求項１と一群の請求項である。また、訂正事項５ないし１１に係る訂正前の請求項６ないし１３について、請求項７ないし１３はそれぞれ請求項６を直接または間接に引用しているものであって、訂正事項５ないし６によって訂正される請求項６と一群の請求項である。したがって、本件訂正は一群の請求項ごとに請求されたものである。
３　むすび
　よって、本件訂正に係る訂正事項１ないし１１は、特許法第１２０条の５第２項ただし書第１号及び第３号に掲げる事項を目的とするものであり、かつ、同条第４項、並びに、同条第９項で準用する同法第１２６条第５項及び第６項の規定に適合するので、請求項〔１−５〕、〔６−１３〕について、訂正することを認める。
第３　取消理由についての判断
１　本件特許の請求項１ないし１０に係る発明
　本件特許の請求項１ないし１０に係る発明は、本件訂正により訂正された訂正特許請求の範囲の請求項１ないし１０に記載された事項により特定されるとおりのものである。（「第２　１　（１２）」参照）
２　平成２９年３月２９日付けの取消理由通知に記載した取消理由の概要は、以下のとおりである。
（１）　取消理由１．特許法第２９条第２項
　本件特許の請求項１ないし１３に係る発明は、その出願（優先日）前に日本国内又は外国において頒布された刊行物（甲第１及び２号証）に記載された発明又は電気通信回線を通じて公衆に利用可能となった発明に基いて、その出願（優先日）前にその発明の属する技術の分野における通常の知識を有する者が容易に発明をすることができたものであって、特許法第２９条第２項の規定により特許を受けることができないから、その発明に係る特許は取り消すべきものである。
＜甲号証一覧＞
　甲第１号証：国際公開第２０１２／０６５７５４号
　甲第２号証：特開平１０−２１４６４３号公報
（２）　取消理由２．特許法第３６条第６項第２号
　本件特許は、特許請求の範囲の記載が下記の点で不備のため、特許法第３６条第６項第２号に規定する要件を満たしていない特許出願に対してなされたものであり、取り消すべきものである。
　
　　　　　　　　　　　　　　　　　記
（ア）　請求項１に記載された「従来のタバコ」及び「従来のたばこパック」並びに「同様のサイズ」及び「同様の形状およびサイズ」は不明確であり、請求項１に係る発明は明確でない。なお、請求項１を直接的・間接的に引用する請求項２ないし５に係る発明も同様である。
（イ）　請求項６に記載された「従来のたばこパック」及び「同様の形状およびサイズ」は不明確であり、請求項６に係る発明は明確でない。なお、請求項６を直接的・間接的に引用する請求項７ないし１３に係る発明も同様である。
（３）　取消理由３．特許法第２９条第１項柱書
　この出願の下記の請求項に記載されたものは、下記の点で特許法第２９条第１項柱書に規定する要件を満たしていないから、特許を受けることができない。
　
　　　　　　　　　　　　　　　　　記
（ア）　請求項１１は「単一の喫煙セッションの後、前記第２の電池を再充電するために前記二次デバイスを前記一次デバイスに戻すステップをさらに含む」と特定するものであるところ、二次デバイスを一次デバイスに「戻す」動作の主体は、喫煙行為を行う人間であり、二次デバイスを一次デバイスに「戻す」かどうかは、喫煙者の精神的な結果として決定されるものであって、人間の精神活動をその構成要件に含むものであるから、請求項１１に係るものは特許を受けることができない。なお、請求項１１を直接的・間接的に引用する請求項１２ないし１３に係るものも同様である。
（イ）　請求項１２は「前記単一の喫煙セッションは７分続く」と特定するものであところ、喫煙を何分間続けるかは、喫煙者の精神的な活動の結果として決定されるものであって、人間の精神活動をその構成要件に含むものであるから、請求項１２に係るものは特許を受けることができない。なお、請求項１２を引用する請求項１３に係るものも同様である。
３　上記取消理由１については、以下のとおり理由がない。
（１）　請求項１に係る発明について
　甲第１号証には、「再充電される（本件特許の請求項１に係る発明の「再充電可能な」に相当する。以下、同様。）一次ユニット（「一次デバイス」）および二次ユニット（「二次デバイス」）を含む携帯できる電気加熱式喫煙システム（「ポータブル電子喫煙システム」）であって、前記二次ユニットは、着火端式シガレットのサイズとほぼ同様か又はそれよりもごく僅かに大きい（「従来のたばこと同様のサイズの」）エーロゾル形成基体を有する喫煙物品を収容可能なものであり、前記二次ユニットは、エアロゾル形成基体を加熱するように構成された加熱素子（「ヒータ」）を含み、前記一次ユニットは、着火端式シガレットのパックと同じサイズ及び形状の（「従来のたばこパックと同様の形状およびサイズを有する」）基部部分（「ハウジング」）を含み、前記二次ユニットは、充電モード時（「再充電サイクルの間」）、前記一次ユニットの前記基部部分内に格納される（「収容される」）ように構成され、前記一次ユニットは、リチウムイオン電池等の一次電源（「第１の電池」）を備え（「有し」）、前記二次ユニットは、リン酸鉄リチウム電池（「リン酸鉄リチウム電池またはチタン酸リチウム電池」）である二次電源（「第２の電池」）を有し、前記一次ユニットは、
　前記二次電源に接続するためのインターフェース（「出力端子の対」）と、
　リチウムイオン電池等の一次電源（「ＤＣ電源」）と、
　一次電源を充電することを含むいくつかの機能を有するマイクロプロセッサを含み、前記一次ユニットおよび二次電源は、充電するために接続され（「互いに結合され、充電回路を形成するように構成され」）、
　二次ユニットの二次回路は一次電源による二次電源の充電を制御する、
携帯できる電気加熱式喫煙システム。」（特許請求の範囲の請求項１（明細書２４ページ３〜２１行）、明細書１ページ４〜６行、２ページ２〜４、１０〜１２行、５ページ１３〜２３行、９ページ３３〜３５行、１０ページ１〜６、２０〜２３行、１５ページ３〜８行、１６ページ４〜５行、１７ページ３０〜３４行、１９ページ３２〜３６行、２１ページ３０〜３２行、２２ページ１０〜１３行、ＦＩＧ．１ａ〜ＦＩＧ．１ｄ等の記載内容参照。）の発明（以下、「甲１発明」という。）が記載されている。
　しかしながら、本件特許の請求項１に係る発明（以下「本件発明１」という。）は甲１発明と、少なくとも、本件発明１では、「一次デバイスは、」「充電電圧を制御するために前記ＤＣ電源と前記出力端子との間に接続された電圧調整器と、前記電圧調整器および前記出力端子に結合されたマイクロプロセッサとを含み、前記マイクロプロセッサは、第１の充電電圧を供給するために前記電圧調整器を制御」するのに対し、甲１発明では、「一次ユニットは、」「一次電源を充電することを含むいくつかの機能を有するマイクロプロセッサを含」むものの、「二次電源の充電は二次ユニット内の二次回路によって制御される」点（以下、「相違点１」という。）で相違している。これは少なくとも、第２の電池（二次電源）の充電の制御が、本件発明１では一次デバイスでされ、甲１発明では二次ユニット（二次デバイス）でされる点で相違すると言い換えられる。
　ここで、甲１発明において二次電源の充電制御を一次ユニットでされるようにすることについて検討すると、甲１発明は、「二次ユニットの二次回路は一次電源による二次電源の充電を制御する」ことにより、「一次ユニットを必要とせず、その場合、二次ユニットは、既存の外部電源に接続可能な独立型ユニットとすることができる」（甲第１号証９ページ１４〜１５行）ものであるから、その動機付けがあるとはいえない。
　また、甲第２号証には、二次電池の端子電圧に基づいて電池の内部抵抗による電圧降下分を補償して充電する「二次電池の充電方法」が記載されているが（特に、【請求項１】、【００１５】参照。）、本件発明１のような「一次デバイスおよび二次デバイスを含むポータブル電子喫煙システム」は記載されておらず、上記相違点１に係る本件発明１の構成は記載されていない。
　そうすると、甲第２号証に記載された事項を考慮しても、甲１発明をして、二次電源の充電制御を一次ユニットでするように、上記相違点１に係る本件発明１の構成とすることは、当業者が容易に想到し得たということはできない。
　したがって、本件発明１は、甲第１及び２号証に記載された事項に基いて、当業者が容易に発明をすることができたものとはいえず、上記取消理由１について理由がない。
（２）　請求項２ないし５に係る発明について
　請求項２ないし５は直接・間接的に請求項１を引用するものであるから、請求項２ないし５に係る発明は本件発明１の発明特定事項をすべて含むところ、上述のとおり本件発明１は上記取消理由１について理由がないから、請求項２ないし５に係る発明は、甲第１及び２号証に開示された事項に基いて、当業者が容易に発明をすることができたものとはいえず、上記取消理由１について理由がない。
（３）　請求項６に係る発明について
　甲第１号証には、「着火端式シガレットのパックと同じサイズ及び形状の（「従来のたばこパックと同様の形状およびサイズを有する」）基部部分（「ハウジング」）を含み、エアロゾル形成基体を加熱するように構成された加熱素子（「ヒータ」）を含む、一次ユニットの（「一次デバイス中の」）リチウムイオン電池等の一次電源（「第１の電池」）から着火端式シガレットのサイズとほぼ同様か又はそれよりもごく僅かに大きい（「従来のたばこと同様のサイズの」）エーロゾル形成基体を有する喫煙物品を収容可能なものの（「二次電気加熱タバコデバイス中の」）リン酸鉄リチウム電池である二次電源（「第２の電池」）を充電する方法であって、前記一次ユニット（「一次デバイス」）および前記二次ユニット（「二次デバイス」）は、携帯できる電気加熱式喫煙システム（「ポータブル電子喫煙システム」）を構成し（「形成し」）、前記一次ユニットは、リチウムイオン電池等の一次電源（「第１の電池」）を備え（「有し」）、前記二次ユニットは、リン酸鉄リチウム電池（「リン酸鉄リチウム電池またはチタン酸リチウム電池」）である二次電源（「第２の電池」）を備え、前記方法は、
　充電するために（「充電回路を形成するために」）一次電源を有する前記一次ユニットに前記二次電源を接続する段階（「ステップ」）と、
　二次ユニットの二次回路は一次電源による二次電源の充電を制御する段階と、
を含む方法。」（特許請求の範囲の請求項１３（明細書２５ページ３３行〜２６ページ１３行）、明細書１ページ４〜６行、２ページ２〜４、１０〜１２行、５ページ１３〜２３行、９ページ３３〜３５行、１０ページ１〜６、２０〜２３行、１５ページ３〜８行、１６ページ４〜５行、１７ページ３０〜３４行、１９ページ３２〜３６行、２１ページ３０〜３２行、２２ページ１０〜１３行、ＦＩＧ．１ａ〜ＦＩＧ．１ｄ等の記載内容参照。）の発明（以下、「甲１方法発明」という。）が記載されている。
　しかしながら、本件特許の請求項６に係る発明（以下「本件発明６」という。）は甲１方法発明と、少なくとも、本件発明６では、「充電回路を形成するために調整可能な電圧源を有する前記一次デバイスに前記第２の電池を接続するステップと、前記第２の電池に所定の充電電流を提供するために前記電圧源によって供給される第１の充電電圧を制御するステップと」を含むのに対し、甲１方法発明では、「充電するために一次電源を有する前記一次ユニットに前記二次電源を接続するステップと、二次ユニットの二次回路は一次電源による二次電源の充電を制御するステップと、を含む」点（以下、「相違点２」という。）で相違している。本件特許明細書（【００３６】）を参照すると、「一次デバイス側は、第１の電池および電圧調整器を含む制御電圧源３２０・・・を含む」のであるから、本件発明６の「一次デバイス」が有する「調整可能な電圧源」は、具体的には「第１の電池および電圧調整器を含む制御電圧源」を指すから、少なくとも、第２の電池（二次電源）の充電の制御が、本件発明６では一次デバイスでされ、甲１方法発明では二次ユニット（二次デバイス）でされる点で相違すると言い換えられる。
　ここで、甲１方法発明において二次電源の充電制御を一次ユニットでされるようにすることについて検討すると、既に「（１）　請求項１に係る発明について」で検討したとおり、その動機付けがあるとはいえないし、甲第２号証には上記相違点２に係る本件発明６の構成は記載されていない。
　そうすると、甲第２号証に記載された事項を考慮しても、甲１方法発明をして、二次電源の充電制御を一次ユニットでするように、上記相違点２に係る本件発明６の構成とすることは、当業者が容易に想到し得たということはできない。
　したがって、本件発明６は、甲第１及び２号証に記載された事項に基いて、当業者が容易に発明をすることができたものとはいえず、上記取消理由１について理由がない。
（４）　請求項７ないし１０に係る発明について
　請求項７ないし１０は直接・間接的に請求項６を引用するものであるから、請求項７ないし１０に係る発明は本件発明６の発明特定事項をすべて含むところ、上述のとおり本件発明６は上記取消理由１について理由がないから、請求項７ないし１０に係る発明は、甲第１及び２号証に開示された事項に基いて、当業者が容易に発明をすることができたものとはいえず、上記取消理由１について理由がない。
４　上記取消理由２については、以下のとおり理由がない。
　請求項１に記載された「従来のタバコ」、「従来のたばこパック」及び「同様のサイズ」、「同様の形状およびサイズ」並びに請求項６に記載された「従来のたばこパック」及び「同様の形状およびサイズ」は不明確とはいえない。すなわち、本件特許明細書及び図面の記載並びに出願（優先日）時の技術常識を考慮すれば、「ポータブル」な「従来の」「タバコ」及び「たばこパック」は、これまでの「ポータブル」な「タバコ」及び「たばこパック」として発明特定事項の範囲を当業者が理解できるから、明確でないとはいえない。同様に、「従来のタバコと同様のサイズ」がこれまでの「ポータブル」なタバコと同じような普通の喫煙ができる大きさであることと理解できるし、「従来のたばこパックと同様の形状およびサイズ」がこれまでの「ポータブル」なタバコパックと同じような普通の喫煙ができるタバコ用のたばこパックの形状および大きさであることと理解できるから、明確でないとはいえない。そして、発明の範囲も理解でき、明確でないとはいえない。したがって、上記取消理由２については理由がない。
５　上記取消理由３について
　請求項１１ないし１３に係る特許は、本件訂正により、削除されたため、本件特許の請求項１１ないし１３に対しての上記取消理由３については、対象となる請求項が存在しない。
第４　むすび
　以上のとおりであるから、上記取消理由通知に記載した上記取消理由１ないし３によっては、本件特許の請求項１ないし１０に係る特許を取り消すことはできない。
　また、他に本件特許の請求項１ないし１０に係る特許を取り消すべき理由を発見しない。
　そして、請求項１１ないし１３に係る特許は、本件訂正により、削除されたため、本件特許の請求項１１ないし１３に対して、特許異議申立人がした特許異議の申立てについては、対象となる請求項が存在しない。
　よって、結論のとおり決定する。
【異議決定日】
平成２９年９月４日（２０１７．９．４）
【訂正の要旨】
審決（決定）の【理由】欄参照。
（５７）【特許請求の範囲】
　【請求項１】
　再充電可能な一次デバイスおよび二次デバイスを含むポータブル電子喫煙システムであって、前記二次デバイスは、従来のたばこと同様のサイズの電気加熱タバコデバイスであり、前記二次デバイスは、エアロゾル形成基体を加熱するように構成されたヒータを含み、前記一次デバイスは、従来のたばこパックと同様の形状およびサイズを有するハウジングを含み、前記二次デバイスは、再充電サイクルの間、前記一次デバイスの前記ハウジング内に収容されるように構成され、前記一次デバイスは、酸化リチウムコバルト電池である第１の電池を有し、前記二次デバイスは、リン酸鉄リチウム電池またはチタン酸リチウム電池である第２の電池を有し、前記第１の電池の容量は、前記第２の電池の容量の５倍から４０倍の間であり、前記一次デバイスおよび前記二次デバイスは、２Ｃから１６Ｃの間のレートで前記第１の電池から前記第２の電池を再充電するように構成され、前記一次デバイスは、
　前記第２の電池に接続するための出力端子の対と、
　ＤＣ電源と、
　充電電圧を制御するために前記ＤＣ電源と前記出力端子との間に接続された電圧調整器と、
　前記電圧調整器および前記出力端子に結合されたマイクロプロセッサとを含み、前記一次デバイスおよび第２の電池は、互いに結合され、充電回路を形成するように構成され、前記マイクロプロセッサは、
　第１の充電電圧を供給するために前記電圧調整器を制御し、
　前記第１の充電電圧が所定の
最大許容充電
Ｖｃｈ
　前記第１の充電電圧と、前記第１の充電電圧よりも低い第２の充電電圧とにおける前記充電回路中の電流を測定することによって前記充電回路の内部抵抗を特定し、
　前記特定された内部抵抗および前記第２の電池の特性に基づいて、前記電圧調整器によって供給される前記第１の充電電圧を
補償済
Ｖｃｏｍｐ
ように構成される、ポータブル電子喫煙システム。
　【請求項２】
　前記マイクロプロセッサは、
　前記特定された内部抵抗および前記第２の電池の特性に基づいて
前記補償済
Ｖｃｏｍｐ
　前記第１の充電電圧が前記
補償済
Ｖｃｏｍｐ
補償済
Ｖｃｏｍｐ
補償済
Ｖｃｏｍｐ
前記補償済
Ｖｃｏｍｐ
第１の
第１の
ように構成される、請求項１に記載のポータブル電子喫煙システム。
　【請求項３】
　前記マイクロプロセッサは、前記第１の充電電圧から電圧を所定の電圧差だけ低減させることによって前記第２の充電電圧を特定するように構成される、請求項１または２に記載のポータブル電子喫煙システム。
　【請求項４】
　前記マイクロプロセッサは、前記内部抵抗を定期的に再計算するように構成される、請求項１から３までのいずれか１項に記載のポータブル電子喫煙システム。
　【請求項５】
　前記第２の電池は、１０ｍｍの直径および３７ｍｍの長さを有する、請求項１から４までのいずれか１項に記載の電子喫煙システム。
　【請求項６】
　従来のたばこパックと同様の形状およびサイズを有するハウジングを含み、エアロゾル形成基体を加熱するように構成されたヒータを含む、一次デバイス中の第１の電池から従来のたばこと同様のサイズの二次電気加熱タバコデバイス中の第２の電池を充電する方法であって、前記一次デバイスおよび前記二次デバイスは、ポータブル電子喫煙システムを形成し、前記一次デバイスは、酸化リチウムコバルト電池である第１の電池を有し、前記二次デバイスは、リン酸鉄リチウム電池またはチタン酸リチウム電池である第２の電池を有し、前記第１の電池の容量は、前記第２の電池の容量の５倍から４０倍の間であり、前記一次デバイスおよび前記二次デバイスは、２Ｃから１６Ｃの間のレートで前記第１の電池から前記第２の電池を再充電するように構成され、前記方法は、
　充電回路を形成するために調整可能な電圧源を有する前記一次デバイスに前記第２の電池を接続するステップと、
　前記第２の電池に所定の充電電流を提供するために前記電圧源によって供給される第１の充電電圧を制御するステップと、
　前記第１の充電電圧と、前記第１の充電電圧よりも低い第２の充電電圧とにおける前記充電回路中の電流を測定することによって、前記充電回路の内部抵抗を特定するステップと、
　前記特定された内部抵抗および前記第２の電池の特性に基づいて
補償済
Ｖｃｏｍｐ
　前記第１の充電電圧が前記
補償済
Ｖｃｏｍｐの
補償済
Ｖｃｏｍｐ
を含み、
　前記内部抵抗を特定する前記ステップ、および前記
補償済
Ｖｃｏｍｐ
最大許容充電
Ｖｃｈの
　【請求項７】
　前記第２の充電電圧は、前記第１の充電電圧から所定の電圧差を有する、請求項６に記載の方法。
　【請求項８】
　前記
補償済
Ｖｃｏｍｐ
補償済
Ｖｃｏｍｐ
　【請求項９】
　前記
補償済
Ｖｃｏｍｐ
補償済
Ｖｃｏｍｐ
補償済
Ｖｃｏｍｐ
　【請求項１０】
　前記内部抵抗を特定する前記ステップは、定期的に実行される、請求項６から９までのいずれか１項に記載の方法。
　【請求項１１】
（削除）
　【請求項１２】
（削除）
　【請求項１３】
（削除）